(57)【特許請求の範囲】
【請求項１】
広告コンテンツである第１コンテンツ、および当該第１コンテンツとは意味合いが異なり、広告コンテンツ以外のコンテンツである第２コンテンツのそれぞれをスコアリングするための複数の指標情報を記憶する記憶部と、
複数の前記第１コンテンツについて前記複数の指標情報のそれぞれに基づくスコアを算出し、複数の前記第２コンテンツについて前記複数の指標情報のそれぞれに基づくスコアを算出するスコア算出部と、
前記スコア算出部によって算出されるスコアに基づいて、前記第１コンテンツおよび前記第２コンテンツの配信順序を決定する配信順序決定部と
を備えることを特徴とする配信順序決定装置。
【請求項２】
前記指標情報は、
コンテンツの配信元のコンテンツに対する期待度に関する第１指標と、
コンテンツの配信先のコンテンツに対する嗜好性に関する第２指標と
を含む
ことを特徴とする請求項１に記載の配信順序決定装置。
【請求項３】
前記第１指標は、
前記第１コンテンツに対する前記配信元の期待度に関する第１期待度指標と、前記第２コンテンツに対する前記配信元の期待度に関する第２期待度指標とを含み、
前記第２指標は、
前記第１コンテンツに対する前記配信先の嗜好性に関する第１嗜好性指標と、前記第２コンテンツに対する前記配信先の嗜好性に関する第２嗜好性指標とを含み、
前記スコア算出部は、
前記第１期待度指標および前記第１嗜好性指標に基づいて、複数の前記第１コンテンツのスコアを算出し、前記第２期待度指標および前記第２嗜好性指標に基づいて、複数の前記第２コンテンツのスコアを算出する
ことを特徴とする請求項２に記載の配信順序決定装置。
【請求項４】
前記第１嗜好性指標は、
前記広告コンテンツと前記配信先の嗜好性との適合度に関する指標である
ことを特徴とする請求項３に記載の配信順序決定装置。
【請求項５】
第１コンテンツおよび第２コンテンツに関する指標情報を記憶する記憶部と、
前記指標情報に基づいて、複数の前記第１コンテンツおよび複数の前記第２コンテンツのスコアを算出するスコア算出部と、
前記スコア算出部によって算出されるスコアに基づいて、前記第１コンテンツおよび前記第２コンテンツの配信順序を決定する配信順序決定部と
を備え、
前記指標情報は、
コンテンツの配信元のコンテンツに対する期待度に関する第１指標と、
コンテンツの配信先のコンテンツに対する嗜好性に関する第２指標と
を含み、
前記第１指標は、
前記第１コンテンツに対する前記配信元の期待度に関する第１期待度指標と、前記第２コンテンツに対する前記配信元の期待度に関する第２期待度指標とを含み、
前記第２指標は、
前記第１コンテンツに対する前記配信先の嗜好性に関する第１嗜好性指標と、前記第２コンテンツに対する前記配信先の嗜好性に関する第２嗜好性指標とを含み、
前記スコア算出部は、
前記第１期待度指標および前記第１嗜好性指標に基づいて、複数の前記第１コンテンツのスコアを算出し、前記第２期待度指標および前記第２嗜好性指標に基づいて、複数の前記第２コンテンツのスコアを算出し、
前記第２コンテンツは、
広告以外のコンテンツであり、
前記第２期待度指標は、
前記広告以外のコンテンツが前記配信先によって選択される場合に、前記配信先の画面の遷移先となるコンテンツが利用されることによって発生する期待収益に関する指標である
配信順序決定装置。
【請求項６】
第１コンテンツおよび第２コンテンツに関する指標情報を記憶する記憶部と、
前記指標情報に基づいて、複数の前記第１コンテンツおよび複数の前記第２コンテンツのスコアを算出するスコア算出部と、
前記スコア算出部によって算出されるスコアに基づいて、前記第１コンテンツおよび前記第２コンテンツの配信順序を決定する配信順序決定部と
を備え、
前記指標情報は、
コンテンツの配信元のコンテンツに対する期待度に関する第１指標と、
コンテンツの配信先のコンテンツに対する嗜好性に関する第２指標と
を含み、
前記第１指標は、
前記第１コンテンツに対する前記配信元の期待度に関する第１期待度指標と、前記第２コンテンツに対する前記配信元の期待度に関する第２期待度指標とを含み、
前記第２指標は、
前記第１コンテンツに対する前記配信先の嗜好性に関する第１嗜好性指標と、前記第２コンテンツに対する前記配信先の嗜好性に関する第２嗜好性指標とを含み、
前記スコア算出部は、
前記第１期待度指標および前記第１嗜好性指標に基づいて、複数の前記第１コンテンツのスコアを算出し、前記第２期待度指標および前記第２嗜好性指標に基づいて、複数の前記第２コンテンツのスコアを算出し、
前記第１コンテンツは、
広告コンテンツであり、
前記第１嗜好性指標は、
前記広告コンテンツと前記配信先の嗜好性との適合度に関する指標であり、
前記第２コンテンツは、
広告以外のコンテンツであり、
前記第２期待度指標は、
前記広告以外のコンテンツが前記配信先によって選択される場合に、前記配信先の画面の遷移先となるコンテンツが利用されることによって発生する期待収益に関する指標である
配信順序決定装置。
【請求項７】
前記配信順序決定部は、
配信先の画面内に表示される前記第１コンテンツおよび前記第２コンテンツの双方の数を１以上にする
ことを特徴とする請求項１〜６のいずれか一つに記載の配信順序決定装置。
【請求項８】
前記配信順序決定部は、    
前記スコア算出部によって算出されるスコアに基づいて決定した前記配信順序で前記第１コンテンツが連続配信されることになる場合、少なくとも前記第１コンテンツの前および後に前記第２コンテンツが配信されるよう前記配信順序の並べ替えを行う
ことを特徴とする請求項１〜７のいずれか一つに記載の配信順序決定装置。
【請求項９】
コンピュータが実行する配信順序決定方法であって、
広告コンテンツである第１コンテンツ、および当該第１コンテンツとは意味合いが異なり、広告コンテンツ以外のコンテンツである第２コンテンツのそれぞれをスコアリングするための複数の指標情報を記憶する記憶工程と、
複数の前記第１コンテンツについて前記複数の指標情報のそれぞれに基づくスコアを算出し、複数の前記第２コンテンツについて前記複数の指標情報のそれぞれに基づくスコアを算出するスコア算出工程と、
前記スコア算出工程によって算出されるスコアに基づいて、前記第１コンテンツおよび前記第２コンテンツの配信順序を決定する配信順序決定工程と
を含むことを特徴とする配信順序決定方法。
【請求項１０】
広告コンテンツである第１コンテンツ、および当該第１コンテンツとは意味合いが異なり、広告コンテンツ以外のコンテンツである第２コンテンツのそれぞれをスコアリングするための複数の指標情報を記憶する記憶手順と、
複数の前記第１コンテンツについて前記複数の指標情報のそれぞれに基づくスコアを算出し、複数の前記第２コンテンツについて前記複数の指標情報のそれぞれに基づくスコアを算出するスコア算出手順と、
前記スコア算出手順によって算出されるスコアに基づいて、前記第１コンテンツおよび前記第２コンテンツの配信順序を決定する配信順序決定手順と
をコンピュータに実行させることを特徴とする配信順序決定プログラム。
【発明の詳細な説明】
【技術分野】
【０００１】
本発明は、配信順序決定装置、配信順序決定方法、および配信順序決定プログラムに関する。
【背景技術】
【０００２】
近年、インターネットの飛躍的な普及に伴い、インターネットを介した広告配信が盛んに行われている。例えば、タイムライン型のＵＩ（User  Interface）に広告コンテンツを挿入することによって広告配信を行う技術がある（例えば、特許文献１参照）。一般的には、タイムライン型のＵＩに挿入される広告コンテンツの本数は、Ｎ（Ｎは、自然数）本のタイムラインコンテンツにつき、１本となっていることが多い。
【先行技術文献】
【特許文献】
【０００３】
【特許文献１】特開２０１５−２２２５７７号公報
【発明の概要】
【発明が解決しようとする課題】
【０００４】
しかしながら、タイムライン型のＵＩに挿入される広告コンテンツの本数が、Ｎ本のタイムラインコンテンツにつき１本となっている場合、配信先へ配信されるコンテンツの配信順序に、配信元の意図を反映することができない。
【０００５】
例えば、配信元は、有用な広告コンテンツが複数あっても、タイムラインコンテンツＮ本毎に１本の広告コンテンツしか配信することができず、有用な広告コンテンツがなくても、タイムラインコンテンツＮ本毎に、１本の広告コンテンツを配信せざるをえない。
【０００６】
本発明は、上記に鑑みてなされたものであって、配信先へ配信されるコンテンツの配信順序に、配信元の意図を反映することができる配信順序決定装置、配信順序決定方法、および配信順序決定プログラムを提供することを目的とする。
【課題を解決するための手段】
【０００７】
本願に係る配信順序決定装置は、記憶部と、スコア算出部と、配信順序決定部とを備える。記憶部は、第１コンテンツおよび第２コンテンツに関する指標情報を記憶する。スコア算出部は、前記指標情報に基づいて、複数の前記第１コンテンツおよび複数の前記第２コンテンツのスコアを算出する。配信順序決定部は、前記スコア算出部によって算出されるスコアに基づいて、前記第１コンテンツおよび前記第２コンテンツの配信順序を決定する。
【発明の効果】
【０００８】
実施形態の一態様によれば、配信先へ配信されるコンテンツの配信順序に、配信元の意図を反映することができる配信順序決定装置、配信順序決定方法、および配信順序決定プログラムを提供することができる。
【図面の簡単な説明】
【０００９】
【図１】図１は、実施形態に係る配信順序決定方法の説明図である。
【図２】図２は、実施形態に係る配信順序決定システムの構成例を示す説明図である。
【図３】図３は、実施形態に係る配信順序決定装置の構成例を示す説明図である。
【図４】図４は、実施形態に係る指標情報の一例を示す説明図である。
【図５】図５は、実施形態に係る配信順序決定部によるコンテンツの配信順序決定手順の一例を示す説明図である。
【図６】図６は、実施形態に係る配信順序決定部によるコンテンツの配信順序決定手順の一例を示す説明図である。
【図７】図７は、実施形態に係る配信順序決定部によるコンテンツの配信順序決定手順の一例を示す説明図である。
【図８】図８は、実施形態に係る配信順序決定装置の制御部が実行する処理を示すフローチャートである。
【図９】図９は、実施形態に係る配信順序決定装置の制御部が実行する処理を示すフローチャートである。
【図１０】図１０は、実施形態に係る配信順序決定装置の機能を実現するコンピュータの一例を示すハードウェア構成図である。
【発明を実施するための形態】
【００１０】
以下に、本願に係る配信順序決定装置、配信順序決定方法、および配信順序決定プログラムの実施形態について図面を参照しつつ詳細に説明する。なお、この実施形態により本願に係る配信順序決定装置、配信順序決定方法、および配信順序決定プログラムが限定されるものではない。
【００１１】
［１．配信順序決定方法］
まず、図１を参照し、実施形態に係る配信順序決定装置が行う配信順序決定方法について説明する。図１は、実施形態に係る配信順序決定方法の説明図である。実施形態に係る配信順序決定装置は、コンテンツ配信装置からコンテンツの配信先となる閲覧者端末装置へ配信される第１コンテンツおよび第２コンテンツの配信順序を決定する装置である。
【００１２】
以下では、コンテンツ配信装置から閲覧者端末装置へニュースサイトのウェブページが配信される場合を例に挙げて説明する。ウェブページは、縦一列に列挙される複数の第１コンテンツおよび複数の第２コンテンツを含む。ここでは、第１コンテンツが広告のコンテンツであり、第２コンテンツが記事コンテンツであるものとするが、第１コンテンツおよび第２コンテンツは、これに限定されるものではない。
【００１３】
また、ここでは、広告コンテンツの一例として、縦一列に列挙される記事コンテンツの間に挿入されるインフィード広告を例に挙げて説明するが、実施形態に係る広告コンテンツは、インフィード広告以外の広告であってもよい。
【００１４】
実施形態に係る配信順序決定装置は、コンテンツのスコアの算出に使用する第１指標および第２指標を含む指標情報を記憶する。第１指標は、コンテンツの配信元のコンテンツに対する期待度の指標であり、第２指標は、コンテンツの配信先のコンテンツに対する嗜好性に関する指標である。
【００１５】
つまり、第１指標は、広告コンテンツおよび記事コンテンツの評価を行う場合、比較的広告コンテンツの方に有利となる指標である。一方、第２指標は、広告コンテンツおよび記事コンテンツの評価を行う場合、比較的記事コンテンツの方に有利となる指標である。
【００１６】
かかる配信順序決定装置は、第１指標および第２指標に基づいて、閲覧者端末装置へ配信予定の複数の広告コンテンツおよび複数の記事コンテンツのスコアを算出する。そして、配信順序決定装置は、算出した広告コンテンツおよび記事コンテンツのスコアに基づいて、閲覧者端末装置へ配信される広告コンテンツおよび記事コンテンツの配信順序を決定する。
【００１７】
例えば、配信順序決定装置は、図１に示すように、各コンテンツを第１指標に基づいて算出したスコアである第１指標ポイントと、各コンテンツを第２指標に基づいて算出したスコアである第２指標ポイントとの合計のスコアを算出する。
【００１８】
そして、配信順序決定装置は、算出したスコアの高い順に、広告コンテンツおよび記事コンテンツに対して順位を決定する。その後、配信順序決定装置は、例えば、順位の高いコンテンツから順次閲覧者端末装置へ配信されるように、広告コンテンツおよび記事コンテンツの配信順序を決定する。その結果、図１に示す例では、閲覧者端末装置の表示画面内に表示される広告コンテンツ数が２、記事コンテンツ数が３となる。
【００１９】
このように、配信順序決定装置は、比較的広告コンテンツに有利な第１指標および比較的記事コンテンツに有利な第２指標を使用することによって、意味合いの異なる広告コンテンツおよび記事コンテンツを共通の平等な基準でスコアリングすることができる。
【００２０】
これにより、配信順序決定装置は、コンテンツの配信元の意図が反映されるように、閲覧者端末装置へ配信される広告コンテンツおよび記事コンテンツの配信順序を決定することができる。
【００２１】
したがって、配信順序決定装置は、コンテンツの配信元にとって有用な広告コンテンツ数が増加する場合には、表示画面へ配信される広告コンテンツ数を増加させることができる。また、配信順序決定装置は、コンテンツの配信元にとって有用な広告コンテンツ数が減少する場合には、表示画面へ配信される広告コンテンツ数を減少させることができる。
【００２２】
なお、ここでは、スコアの高い順となるように第１コンテンツおよび第２コンテンツの配信順序を決定する場合を例に挙げたが、配信順序決定装置は、決定した配信順序によっては、さらに配信元の意図が反映されるように配信順序の並べ替えを行うこともできる。かかる点については後述する。
【００２３】
［２．配信順序決定システム］
次に、図２を参照し、実施形態に係る配信順序決定システムの構成例について説明する。図２は、実施形態に係る配信順序決定システムの構成例を示す説明図である。図２に示すように、配信順序決定システムは、コンテンツ配信装置１０、閲覧者端末装置１３、および配信順序決定装置１を含む。
【００２４】
コンテンツ配信装置１０、閲覧者端末装置１３、および配信順序決定装置１は、通信ネットワークＮを介して有線または無線により相互に通信可能に接続される。通信ネットワークＮは、例えば、インターネットなどのＷＡＮ（Wide  Area  Network）である。
【００２５】
なお、図２に示す例では、コンテンツ配信装置１０、閲覧者端末装置１３、および配信順序決定装置１がそれぞれ１台ずつ示されているが、これらの装置のうちいずれかまたは全部が２台以上であってもよい。
【００２６】
コンテンツ配信装置１０は、第１コンテンツである広告コンテンツ１１と第２コンテンツである記事コンテンツ１２とを記憶し、閲覧者端末装置１３からのコンテンツ配信要求に応答して、閲覧者端末装置１３へコンテンツ（例えば、ウェブページ）を配信する。
【００２７】
広告コンテンツ１１は、例えば、図１に示す広告コンテンツ等である。なお、広告コンテンツ１１は、動画であってもよく、静止画であってもよい。各広告コンテンツ１１には、広告コンテンツ１１が閲覧者端末装置１３によって選択（クリック）された場合に、表示画面の遷移先となるウェブページのＵＲＬ（Uniform  Resource  Locator）が含まれる。
【００２８】
かかる広告コンテンツ１１は、広告主端末装置（図示略）から通信ネットワークＮを介してコンテンツ配信装置１０へ入稿される。なお、広告コンテンツ１１は、コンテンツ配信装置１０ではなく、広告主端末装置に記憶されてもよい。かかる場合、広告主端末装置は、閲覧者端末装置１３からの配信要求に応答して、閲覧者端末装置１３へ広告コンテンツ１１を配信する。
【００２９】
記事コンテンツ１２は、例えば、図１に示す記事コンテンツ等である。なお、第２コンテンツは、記事コンテンツ１２に限定されるものではなく、ポータルサイト、オークションサイト、天気予報サイト、ショッピングサイト、ファイナンス（株価）サイト、路線検索サイト、地図提供サイト、旅行サイト、飲食店紹介サイト、ウェブブログなどに関する各コンテンツであってもよい。
【００３０】
閲覧者端末装置１３は、一般のユーザが使用する端末装置であり、例えば、パーソナルコンピュータ、スマートフォン、ゲーム機などのように通信機能やブラウザ機能を有する装置である。閲覧者端末装置１３は、コンテンツ配信装置１０へコンテンツ（例えば、ウェブページ）の配信要求を行い、その応答として、コンテンツ配信装置１０からコンテンツの配信を受ける。
【００３１】
配信順序決定装置１は、例えば、パーソナルコンピュータであり、コンテンツ配信装置１０から閲覧者端末装置１３へ配信予定の複数の広告コンテンツ１１および複数の記事コンテンツ１２に関する情報を取得する。
【００３２】
そして、配信順序決定装置１は、取得した情報と前述した第１指標および第２指標とに基づいて、閲覧者端末装置１３へ配信される広告コンテンツ１１および記事コンテンツ１２の配信順序を決定する。かかる配信順序決定装置１の具体的な構成例については、次に、図３を参照して説明する。
【００３３】
［３．配信順序決定装置の構成例］
次に、配信順序決定装置１の構成例について、図３を参照して説明する。図３は、実施形態に係る配信順序決定装置１の構成例を示す説明図である。図３に示すように、配信順序決定装置１は、通信部２、制御部３（コントローラ）、および記憶部４を備える。
【００３４】
通信部２は、例えば、ＮＩＣ（Network  Interface  Card）等によって実現される。そして、通信部２は、通信ネットワークＮと有線または無線で接続され、コンテンツ配信装置１０、および閲覧者端末装置１３との間で情報の送受信を行う。
【００３５】
記憶部４は、例えば、ＲＡＭ（Random  Access  Memory)、フラッシュメモリ（Flash  Memory）等の半導体メモリ素子、または、ハードディスク、光ディスク等の記憶装置によって実現される。記憶部４は、配信順序決定プログラム４１および指標情報４２を記憶する。
【００３６】
配信順序決定プログラム４１は、制御部３が閲覧者端末装置１３へ配信される広告コンテンツおよび記事コンテンツの配信順序を決定する場合に実行するプログラムである。指標情報４２は、制御部３が広告コンテンツおよび記事コンテンツのスコアを算出する場合に使用する情報である。
【００３７】
ここで、図４を参照し、指標情報４２の一例について説明する。図４は、実施形態に係る指標情報４２の一例を示す説明図である。図４に示すように、指標情報４２は、広告コンテンツおよび記事コンテンツにそれぞれ対応付けられた第１指標と第２指標とを含む。
【００３８】
第１指標は、コンテンツの配信元のコンテンツに対する期待度に関する指標である。第２指標は、コンテンツ配信先のコンテンツに対する嗜好性に関する指標である。また、第１指標は、広告コンテンツ用の第１期待度指標と、記事コンテンツ用の第２期待度指標とを含む。
【００３９】
第１期待度指標は、コンテンツの配信元の広告コンテンツに対する期待度に関する情報であり、具体的には、広告コンテンツの期待収益に係数ｋ１を乗算する関数である。こここでの、期待収益は、例えば、ｅＣＰＭ（effective  Cost  Per  Mille）である。
【００４０】
第２期待度指標は、コンテンツの配信元の記事コンテンツに対する期待度に関する指標であり、記事コンテンツが配信先によって選択される場合に、配信先の画面の遷移先となるコンテンツが利用されることによって発生する期待収益に関する指標である。
【００４１】
例えば、第２期待度指標は、記事コンテンツの期待収益に係数ｋ２を乗算する関数である。ここでの、記事コンテンツの期待収益は、例えば、閲覧者端末装置１３によって記事コンテンツが選択（クリック）される場合に、閲覧者端末装置１３の表示画面の遷移先となるウェブページに挿入される広告コンテンツのｅＣＰＭである。
【００４２】
なお、記事コンテンツの期待収益は、表示画面の遷移先となるウェブページに挿入される広告コンテンツのｅＣＰＭに限定されるものではない。例えば、記事コンテンツの期待収益は、表示画面の遷移先となるウェブページに挿入される広告コンテンツのｅＣＰＭに加え、遷移先のウェブページから更に表示画面が遷移した先のウェブページに挿入されるｅＣＰＭを加算したものであってもよい。
【００４３】
また、第２コンテンツが記事コンテンツではなく、例えば、ＥＣ（Electronic  Commerce）サイトや不動産紹介サイトである場合、第２コンテンツの期待収益は、サイトが利用されることによってサイト運営者が享受する期待収益であってもよい。
【００４４】
また、第２指標は、広告コンテンツ用の第１嗜好性指標および記事コンテンツ用の第２嗜好性指標を含む。第１嗜好性指標は、コンテンツの配信先の広告コンテンツに対する嗜好性に関する指標であり、広告コンテンツと配信先の嗜好性との適合度に関する指標である。例えば、第１嗜好性指標は、ＬＰ（Landing  Page）滞在時間に係数ｋ３を乗算する関数と、ＣＶＲ（Conversion  Rate）に係数ｋ４を乗算する関数とを含む。
【００４５】
また、ここでのＬＰ滞在時間は、閲覧者端末装置１３の表示画面にＬＰが表示された継続時間である。なお、第１嗜好性指標は、ＬＰ滞在時間に係数ｋ３を乗算する関数、およびＣＶＲに係数ｋ４を乗算する関数のうち、いずれか一方だけであってもよい。
【００４６】
また、第１嗜好性指標は、ＬＰ滞在時間に関する指標やＣＶＲに関する指標に限定されるものではなく、広告コンテンツと配信先の嗜好性との適合度に関する指標であれば、他の指標を含んでもよい。
【００４７】
例えば、第１嗜好性指標は、広告コンテンツに含まれるキーワードと、閲覧者が過去に閲覧した広告コンテンツに含まれるキーワードとの適合度に関する指標を含んでもよい。また、第１嗜好性指標は、閲覧者の予め登録された性別、年齢、職業、および趣味等のカテゴリと、広告コンテンツのＬＰのコンテンツやジャンルとの適合度に関する指標を含んでもよい。
【００４８】
さらに、第１嗜好性指標は、広告コンテンツと、例えばＳＮＳ（Social  Networking  Service）を利用して閲覧者が過去に友人から勧められたサービスや商品との適合度に関する指標を含んでもよい。
【００４９】
また、第２嗜好性指標は、コンテンツの配信先の記事コンテンツに対する嗜好性に関する情報であり、具体的には、適合度に係数ｋ５を乗算する関数と、記事コンテンツが発表された時刻から現在時刻までの経過時間（１時間単位）に関する関数である。なお、第２嗜好性指標は、適合度に係数ｋ５を乗算する関数、および記事コンテンツが発表された時刻から現在時刻までの経過時間に関する関数のうち、いずれか一方だけであってもよい。
【００５０】
ここでの適合度は、記事コンテンツと閲覧者との適合度であり、例えば、記事コンテンツに含まれるキーワード、閲覧者が過去に閲覧した記事コンテンツに含まれるキーワード、閲覧者の予め登録された性別、年齢、職業、および趣味等に基づいて算出される。
【００５１】
上記した係数ｋ１，ｋ２，ｋ３，ｋ４，ｋ５は、例えば、過去にコンテンツ配信装置１０によって配信された多数の広告コンテンツおよび記事コンテンツに基づいて、予め決定される。
【００５２】
例えば、過去に配信された広告コンテンツのうち、期待収益が最高であった広告コンテンツの期待収益に乗算することによって５０となる係数をｋ１とする。また、過去に配信された記事コンテンツのうち、期待収益が最高であった記事コンテンツの期待収益に乗算することによって５０となる係数をｋ２とする。
【００５３】
また、過去に配信された広告コンテンツのうち、ＬＰ滞在時間が最長であった広告コンテンツのＬＰ滞在時間に乗算することによって２５となる係数をｋ３とする。また、過去に配信された広告コンテンツのうち、ＣＶＲが最高であった広告コンテンツのＣＶＲに乗算することによって２５となる係数を係数ｋ４とする。
【００５４】
また、過去に配信された記事コンテンツのうち、期待収益が最高であった記事コンテンツの期待収益に乗算することによって２５となる係数を係数ｋ５とする。なお、係数ｋ１，ｋ２，ｋ３，ｋ４，ｋ５は、広告コンテンツの期待収益、記事コンテンツの期待収益、ＬＰ滞在時間、ＣＶＲ、適合度が最大値を更新した場合に更新される。
【００５５】
また、記事コンテンツが発表された時刻から現在時刻までの経過時間（１時間単位）に関する関数は、例えば、２５−（経過時間）×２５÷２４という関数である。かかる関数では、記事コンテンツが発表された時刻から２４時間が経過した場合に、スコアが０となる。
【００５６】
かかる第１指標および第２指標を使用して、広告コンテンツおよび記事コンテンツのスコアを算出した場合、広告コンテンツおよび記事コンテンツの最高スコアは、１００となる。なお、図４に示す各関数は、一例であり、広告コンテンツおよび記事コンテンツを共通の基準で平等にスコアリング可能な数式であれば、任意の数式であってよい。
【００５７】
図３へ戻り、制御部３は、配信順序決定装置１全体を統括制御する処理部であり、例えば、ＡＳＩＣ（Application  Specific  Integrated  Circuit）やＦＰＧＡ（Field  Programmable  Gate  Array）等の集積回路により実現される。
【００５８】
かかる制御部３は、内部のＣＰＵ（Central  Processing  Unit）またはＭＰＵ（Micro  Processing  Unit）が記憶部４から配信順序決定プログラム４１を読み出してＲＡＭを作業領域として実行することによって機能する複数の情報処理部を備える。
【００５９】
具体的には、制御部３は、期待度関連情報取得部３１、嗜好性関連情報取得部３２、スコア算出部３３、および配信順序決定部３４を備える。なお、制御部３の内部構成は、かかる構成に限られず、後述する情報処理を行う構成であれば他の構成であってもよい。
【００６０】
期待度関連情報取得部３１は、コンテンツ配信装置１０から閲覧者端末装置１３へ配信予定の複数の広告コンテンツおよび複数の記事コンテンツの期待度関連情報を取得する処理部である。期待度関連情報取得部３１は、期待度関連情報として、各広告コンテンツの期待収益を取得し、各記事コンテンツの期待収益を取得してスコア算出部３３へ出力する。
【００６１】
嗜好性関連情報取得部３２は、コンテンツ配信装置１０から閲覧者端末装置１３へ配信予定の複数の広告コンテンツおよび複数の記事コンテンツの嗜好性関連情報を取得する処理部である。嗜好性関連情報取得部３２は、嗜好性関連情報として、各広告コンテンツのＬＰ滞在時間およびＣＶＲを取得し、各記事コンテンツの適合度および経過時間を取得してスコア算出部３３へ出力する。
【００６２】
スコア算出部３３は、期待度関連情報取得部３１から入力される情報、嗜好性関連情報取得部３２から入力される情報、および記憶部４に記憶される指標情報４２に基づいて、各広告コンテンツおよび各記事コンテンツのスコアを算出する処理部である。
【００６３】
具体的には、スコア算出部３３は、期待度関連情報取得部３１から入力される広告コンテンツの期待収益、嗜好性関連情報取得部３２から入力されるＬＰ滞在時間、ＣＶＲ、図４に示す第１期待度指標、および第１嗜好性指標に基づいて、各広告コンテンツのスコアを算出する。
【００６４】
そして、スコア算出部３３は、第１指標に基づき算出した広告コンテンツのスコアと、第２指標に基づき算出した広告コンテンツのスコアと、これらの合計スコアとを配信順序決定部３４へ出力する。
【００６５】
また、スコア算出部３３は、期待度関連情報取得部３１から入力される記事コンテンツの期待収益、嗜好性関連情報取得部３２から入力される適合度、経過時間、図４に示す第２期待度指標、および第２嗜好性指標に基づいて、各記事コンテンツのスコアを算出する。
【００６６】
そして、スコア算出部３３は、第１指標に基づき算出した記事コンテンツのスコアと、第２指標に基づき算出した記事コンテンツのスコアと、これらの合計スコアとを配信順序決定部３４へ出力する。
【００６７】
配信順序決定部３４は、スコア算出部３３から入力される広告コンテンツおよび記事コンテンツのスコアに基づいて、閲覧者端末装置１３へ配信される広告コンテンツおよび記事コンテンツの配信順序を決定する処理部である。
【００６８】
配信順序決定部３４は、閲覧者端末装置１３へ配信される広告コンテンツを示す情報、記事コンテンツを示す情報、および決定したコンテンツの配信順序をコンテンツ配信装置１０へ出力する。かかる配信順序決定装置１によるコンテンツの配信順序決定手順の一例については、図５〜図７を参照して後述する。
【００６９】
［４．配信順序決定手順の具体例］
次に、図５〜図７を参照し、実施形態に係る配信順序決定部３４によるコンテンツの配信順序決定手順の一例について説明する。図５〜図７は、実施形態に係る配信順序決定部３４によるコンテンツの配信順序決定手順の一例を示す説明図である。
【００７０】
図５の上段に示すように、配信順序決定部３４は、スコア算出部３３から、例えば、複数（ここでは、５つ）の広告コンテンツのスコア（単位は、例えば、ｐｔ：ポイント）と、複数（ここでは、５つ）の記事コンテンツのスコアとを取得する。
【００７１】
続いて、配信順序決定部３４は、取得したスコアの高い順に、広告コンテンツおよび記事コンテンツの順位を決定する。そして、配信順序決定部３４は、図５の下段に示すように、決定した順位の高いコンテンツほど、先に配信されて閲覧者端末装置１３の表示画面で上に表示されるように、広告コンテンツおよび記事コンテンツの配信順序を決定する。
【００７２】
これにより、配信順序決定部３４は、例えば、配信される記事コンテンツ数に対して挿入される広告コンテンツ数が固定の場合に比べて、広告コンテンツの配信元の意図を反映した配信順序で広告コンテンツの配信を行うことができる。
【００７３】
例えば、配信順序決定部３４は、スコアが高い有用な広告コンテンツが比較的多い場合、列挙される記事コンテンツに挿入される広告コンテンツが多くなるように、広告コンテンツの配信順序を決定することができる。
【００７４】
一方、スコアが高い有用な広告コンテンツが比較的少ない場合には、配信順序決定部３４は、列挙される記事コンテンツ挿入される広告コンテンツが少なくなるように、広告コンテンツの配信順序を決定することができる。
【００７５】
なお、単純にスコアの高いものから順に配信するように広告コンテンツおよび記事コンテンツの配信順序を決定した場合、閲覧者端末装置１３の表示画面に広告コンテンツが表示されない事象が発生することがある。
【００７６】
例えば、閲覧者端末装置１３が一度に５つまでのコンテンツを同時に表示可能である場合、図６の上段に示すように、スコアの高い上位５つのコンテンツが全て記事コンテンツであると、表示画面で広告コンテンツが表示されない事象が発生する。
【００７７】
つまり、記事コンテンツの連続配信数が５以上になると、閲覧者端末装置１３では、表示画面で広告コンテンツが表示されない事象が発生する。これでは、配信順序決定装置１は、広告コンテンツおよび記事コンテンツの配信順序に、広告コンテンツを配信したいという配信元の意図を反映することができない。
【００７８】
そこで、配信順序決定部３４は、例えば、スコアが１位から５位までのコンテンツが全て記事コンテンツの場合、図６に下段に示すように、５位の記事コンテンツに代えて、広告コンテンツで最もスコアが高かったスコアが６位の広告コンテンツを配信させる。つまり、配信順序決定部３４は、スコアが１位〜４位の記事コンテンツが順次配信された後に、スコアが６位の広告コンテンツが配信されるように配信順序を決定する。
【００７９】
これにより、配信順序決定部３４は、広告コンテンツを配信したいという配信元の意図が反映されるように、閲覧者端末装置１３に配信される広告コンテンツおよび記事コンテンツの配信順序を決定することができる。
【００８０】
なお、ここでは、記事コンテンツの連続配信数が閲覧者端末装置１３で一度に表示可能なコンテンツ数の最大値に達する場合について説明したが、決定される配信順序によっては、複数の広告コンテンツが連続配信されることになる場合がある。かかる配信順序は、記事コンテンツを閲覧したいという配信先の意図を反映しているとはいえない。
【００８１】
そこで、配信順序決定部３４は、算出されたスコアに基づいて決定した配信順序では、複数の広告コンテンツが連続配信されることになる場合、少なくとも広告コンテンツの前および後に記事コンテンツが配信されるよう配信順序の並べ替えを行う。
【００８２】
これにより、配信順序決定部３４は、記事コンテンツを閲覧したいという配信先の意図が反映されるように、閲覧者端末装置１３に配信される広告コンテンツおよび記事コンテンツの配信順序を決定することができる。
【００８３】
また、配信順序決定部３４は、閲覧者端末装置１３へ連続して配信される所定数のコンテンツ列のなかに、広告コンテンツが複数含まれる場合、より配信元の意図に沿った配信順序となるように、広告コンテンツの配信順序を決定することもできる。
【００８４】
例えば、配信順序決定部３４は、図７の上段に示すように、スコア算出部３３から図５と同一のスコアを取得する場合、スコアどおりであれば、スコアが２位の広告コンテンツの方をスコアが５位の広告コンテンツよりも先にされるよう配信順序を決定する。
【００８５】
ただし、広告コンテンツの配信元は、スコアが５位の広告コンテンツをスコアが２位の広告コンテンツよりも先に配信させたい場合がある。例えば、広告コンテンツの配信元は、スコアが５位の広告コンテンツの方が、スコアが２位の広告コンテンツよりも大きな収益を見込める場合、スコアが５位の広告コンテンツをスコアが２位の広告コンテンツよりも先に配信させたいものである。
【００８６】
そこで、配信順序決定部３４は、閲覧者端末装置１３へ連続して配信される所定数のコンテンツ列のなかに、広告コンテンツが複数ある場合、複数の各広告コンテンツの期待収益のスコアを比較する。図７に示す例では、スコアが２位の広告コンテンツよりも、スコアが５位の広告コンテンツの方が、期待収益のスコアが高い。
【００８７】
このため、配信順序決定部３４は、図７の下段に示すように、スコアが５位の広告コンテンツの方が、スコアが２位の広告コンテンツよりも先に閲覧者端末装置１３へ配信されるように、コンテンツの配信順序を決定する。
【００８８】
これにより、配信順序決定部３４は、より大きな収益を見込める広告コンテンツを他の広告コンテンツよりも先に閲覧者端末装置１３へ配信させたいという配信元の意図をコンテンツの配信順序に反映させることができる。
【００８９】
［５．配信順序決定装置の制御部が実行する処理］
次に、図８および図９を参照し、実施形態に係る配信順序決定装置１の制御部３が実行する処理について説明する。図８および図９は、実施形態に係る配信順序決定装置１の制御部３が実行する処理を示すフローチャートである。
【００９０】
制御部３は、例えば、コンテンツ配信装置１０から閲覧者端末装置１３へ配信予定の広告コンテンツおよび記事コンテンツが決定されたことを示す情報を取得した場合に、図８および図９に示す処理を実行する。
【００９１】
具体的には、図８に示すように、制御部３は、まず、コンテンツ配信装置１０から各広告コンテンツおよび各記事コンテンツの期待度関連情報を取得する（ステップＳ１０１）。続いて、制御部３は、コンテンツ配信装置１０から各広告コンテンツおよび各記事コンテンツの嗜好性関連情報を取得する（ステップＳ１０２）。
【００９２】
その後、制御部３は、期待度関連情報と、嗜好性関連情報と、指標情報４２とに基づいて、各広告コンテンツのスコアを算出する（ステップＳ１０３）。続いて、制御部３は、期待度関連情報と、嗜好性関連情報と、指標情報４２とに基づいて各記事コンテンツのスコアを算出する（ステップＳ１０４）。
【００９３】
その後、制御部３は、各広告コンテンツのスコアと、各記事コンテンツのスコアとに基づいて、閲覧者端末装置１３へ配信される広告コンテンツおよび記事コンテンツの配信順序を決定する配信順序決定処理を行う（ステップＳ１０５）。なお、配信順序決定処理の内容については、図９を参照して説明する。
【００９４】
続いて、制御部３は、配信順序決定処理によって決定した決定順序をコンテンツ配信装置１０へ出力し（ステップＳ１０６）、処理を終了する。次に、図９を参照し、制御部３が実行する配信順序決定処理について説明する。
【００９５】
図９に示すように、制御部３は、配信順序決定処理を開始すると、各広告コンテンツのスコアと、各記事コンテンツのスコアとに基づいて、広告コンテンツおよび記事コンテンツの配信順序を作成する（ステップＳ２０１）。
【００９６】
続いて、制御部３は、作成した配信順序で配信される場合に、広告コンテンツまたは記事コンテンツの連続数（連続配信数）が閾値未満になるか否かを判定する（ステップＳ２０２）。なお、ここでの閾値は、例えば、閲覧者端末装置１３が閲覧者端末装置１３で一度に表示可能なコンテンツ数の最大値である。
【００９７】
そして、制御部３は、連続数が閾値以上になると判定した場合（ステップＳ２０２，Ｎｏ）、連続数が閾値未満になるまで、スコアに基づいて広告コンテンツおよび記事コンテンツの配信順序を再作成する（ステップＳ２０６）。一方、制御部３は、連続数が閾値未満になると判定した場合（ステップＳ２０２，Ｙｅｓ）、記事コンテンツの配信順序を決定する（ステップＳ２０３）。
【００９８】
このとき、制御部３は、複数の広告コンテンツが連続配信される配信順序となる場合、少なくとも広告コンテンツの前および後に記事コンテンツが配信されるように、配信順序の並べ替えを行う。つまり、ここで制御部３は、広告コンテンツの配信順序も仮決定するが、決定とはしない。
【００９９】
続いて、制御部３は、決定した記事コンテンツの配信順序および仮決定した広告コンテンツの配信順序で連続して配信される所定数のコンテンツ列のなかに、広告コンテンツが複数あるか否か判定する（ステップＳ２０４）。そして、制御部３は、広告コンテンツが複数ないと判定した場合（ステップＳ２０４，Ｎｏ）、処理を図８に示すステップＳ１０６へ移す。
【０１００】
一方、制御部３は、広告コンテンツが複数あると判定した場合（ステップＳ２０４，Ｙｅｓ）、期待収益に基づいて広告コンテンツの配信順序を決定し（ステップＳ２０５）、処理を図８に示すステップＳ１０６へ移す。
【０１０１】
［６．ハードウェア構成］
なお、実施形態における配信順序決定装置１は、例えば図１０に示すような構成のコンピュータ５によって実現される。図１０は、実施形態に係る配信順序決定装置１の機能を実現するコンピュータの一例を示すハードウェア構成図である。コンピュータ５は、ＣＰＵ（Central  Processing  Unit）５１、ＲＡＭ（Random  Access  Memory）５２、ＲＯＭ（Read  Only  Memory）５３、ＨＤＤ（Hard  Disk  Drive）５４、通信インターフェイス（Ｉ／Ｆ）５５、入出力インターフェイス（Ｉ／Ｆ）５６、およびメディアインターフェイス（Ｉ／Ｆ）５７を備える。
【０１０２】
ＣＰＵ５１は、ＲＯＭ５３またはＨＤＤ５４に格納されたプログラムに基づいて動作し、各部の制御を行う。ＲＯＭ５３は、コンピュータ５の起動時にＣＰＵ５１によって実行されるブートプログラムや、コンピュータ５のハードウェアに依存するプログラム等を格納する。
【０１０３】
ＨＤＤ５４は、ＣＰＵ５１によって実行されるプログラムおよび当該プログラムによって使用されるデータ等を格納する。通信インターフェイス５５は、通信部２に対応し、通信ネットワーク（例えば、図２に示す通信ネットワークＮ）を介して他の機器からデータを受信してＣＰＵ５１へ送り、ＣＰＵ５１が生成したデータを、通信ネットワークを介して他の機器へ送信する。
【０１０４】
ＣＰＵ５１は、入出力インターフェイス５６を介して、ディスプレイやプリンタ等の出力装置、および、キーボードやマウス等の入力装置を制御する。ＣＰＵ５１は、入出力インターフェイス５６を介して、入力装置からデータを取得する。また、ＣＰＵ５１は、生成したデータを、入出力インターフェイス５６を介して出力装置へ出力する。
【０１０５】
メディアインターフェイス５７は、記録媒体５８に格納されたプログラムまたはデータを読み取り、ＲＡＭ５２を介してＣＰＵ５１に提供する。ＣＰＵ５１は、当該プログラムを、メディアインターフェイス５７を介して記録媒体５８からＲＡＭ５２上にロードし、ロードしたプログラムを実行する。記録媒体５８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１０６】
コンピュータ５が配信順序決定装置１として機能する場合、コンピュータ５のＣＰＵ５１は、ＲＡＭ５２上にロードされた配信順序決定プログラム４１（図３参照）を実行することにより、期待度関連情報取得部３１、嗜好性関連情報取得部３２、スコア算出部３３、および配信順序決定部３４の各機能を実現する。また、ＨＤＤ５４は、記憶部４の機能を実現し、配信順序決定プログラム４１および指標情報４２などが格納される。
【０１０７】
コンピュータ５のＣＰＵ５１は、これらのプログラムを、記録媒体５８から読み取って実行するが、他の例として、他の装置から、通信ネットワークを介してこれらのプログラムを取得してもよい。
【０１０８】
［７．効果］
実施形態に係る配信順序決定装置は、記憶部と、スコア算出部と、配信順序決定部とを備える。記憶部は、第１コンテンツおよび第２コンテンツに関する指標情報を記憶する。スコア算出部は、指標情報に基づいて、複数の第１コンテンツおよび複数の第２コンテンツのスコアを算出する。
【０１０９】
配信順序決定部は、コンテンツの配信先に配信される第１コンテンツおよび第２コンテンツの配信順序を、スコア算出部によって算出されるスコアに基づいて決定する。これにより、配信順序決定装置は、配信先へ配信されるコンテンツの配信順序に、配信元の意図を反映することができる。
【０１１０】
また、指標情報は、コンテンツの配信元のコンテンツに対する期待度に関する第１指標と、配信先のコンテンツに対する嗜好性に関する第２指標とを含む。これにより、配信順序決定装置は、配信先へ配信されるコンテンツの配信順序に、コンテンツの配信元の意図に加え、コンテンツの配信先の嗜好性を反映することができる。
【０１１１】
また、第１指標は、第１コンテンツに対する配信元の期待度に関する第１期待度指標と、第２コンテンツに対する配信元の期待度に関する第２期待度指標とを含み、第２指標は、第１コンテンツに対する配信先の嗜好性に関する第１嗜好性指標と、第２コンテンツに対する配信先の嗜好性に関する第２嗜好性指標とを含む。
【０１１２】
そして、スコア算出部は、第１期待度指標および第１嗜好性指標に基づいて、複数の第１コンテンツのスコアを算出し、第２期待度指標および第２嗜好性指標に基づいて、複数の第２コンテンツのスコアを算出する。これにより、配信順序決定装置は、第１コンテンツおよび第２コンテンツの双方に適した指標によって平等なスコアを算出することができる。
【０１１３】
また、第１コンテンツは、広告コンテンツであり、第１嗜好性指標は、広告コンテンツと配信先の嗜好性との適合度に関する指標である。これにより、配信順序決定装置は、配信先へ配信されるコンテンツの配信順序に、配信先の広告コンテンツに関する嗜好性を反映することができる。
【０１１４】
また、第２コンテンツは、広告以外のコンテンツであり、第２期待度指標は、広告以外のコンテンツが配信先によって選択される場合に、配信先の画面の遷移先となるコンテンツが利用されることによって発生する期待収益に関する指標である。これにより、配信順序決定装置は、配信先へ配信されるコンテンツの配信順序に、配信元の広告以外のコンテンツに関する意図を反映することができる。
【０１１５】
また、配信順序決定部は、配信先の画面内に表示される第１コンテンツおよび第２コンテンツ双方の数を１以上にする。これにより、第１コンテンツおよび第２コンテンツのうち、いずれか一方のコンテンツが表示されなくなることを防止することができる。
【０１１６】
また、配信順序決定部は、スコア算出部によって算出されるスコアに基づいて決定した配信順序で第１コンテンツが連続配信されることになる場合、少なくとも第１コンテンツの前および後に第２コンテンツが配信されるよう配信順序の並べ替えを行う。これにより、第１コンテンツが連続配信されることを防止することができる。
【０１１７】
［８．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１８】
上述した配信順序決定装置１は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０１１９】
１  配信順序決定装置
２  通信部
３  制御部
４  記憶部
５  コンピュータ
１０  コンテンツ配信装置
１１  広告コンテンツ
１２  記事コンテンツ
１３  閲覧者端末装置
３１  期待度関連情報取得部
３２  嗜好性関連情報取得部
３３  スコア算出部
３４  配信順序決定部
４１  配信順序決定プログラム
４２  指標情報
５１  ＣＰＵ
５２  ＲＡＭ
５３  ＲＯＭ
５４  ＨＤＤ
５５  通信インターフェイス
５６  入出力インターフェイス
５７  メディアインターフェイス
５８  記録媒体
Ｎ  通信ネットワーク
【図１】
0006804862.tif 000002
【図２】
0006804862.tif 000003
【図３】
0006804862.tif 000004
【図４】
0006804862.tif 000005
【図５】
0006804862.tif 000006
【図６】
0006804862.tif 000007
【図７】
0006804862.tif 000008
【図８】
0006804862.tif 000009
【図９】
0006804862.tif 000010
【図１０】
0006804862.tif 000011